(57)【特許請求の範囲】
【請求項１】
プリズム体と、撮像部と、生体に可視光を照射する可視光源とを有し、
前記プリズム体は、
概台形状であり、生体の認証部分が設置される生体認証面から、前記生体認証面と平行な撮像面の方向に向かって、少なくとも一側面において末広がりの形状に形成されており、
末広がり側の側面と対向しない側面であり、前記生体認証面で反射した光を前記撮像面に向けて全反射する反射面を有し、
前記可視光源は、前記撮像面の下部、かつ、前記撮像面の末広がり側の辺の近傍に配置され、
前記撮像部は、前記撮像面の下部に配置され、前記可視光源から照射された光が前記生体認証面に接触している生体の認証部分に反射された生体反射光と、前記生体反射光が前記反射面に反射された反射面反射光とを撮像する
撮像装置。
【請求項２】
前記プリズムは、生体の認証部分が設置される生体認証面から、前記生体認証面と平行な撮像面の方向に向かって、二側面において末広がりの形状に形成されている
請求項１に記載の撮像装置。
【請求項３】
前記生体反射光を撮像した画像が偽造確認用の自然画像であり、
前記反射面反射光を撮像した画像が生体認証用のコントラスト画像である
請求項１又は請求項２に記載の撮像装置。
【請求項４】
前記プリズム体は、
前記生体認証面と前記撮像面とに概垂直に接し、前記反射面に対向する位置に形成され
た対向面を備え、
前記対向面の少なくとも一部には黒色が塗布又は黒板が備え付けられている
請求項１乃至３のいずれか一つに記載の撮像装置。
【発明の詳細な説明】
【技術分野】
【０００１】
本発明は、撮像装置に関する。
【背景技術】
【０００２】
生体特徴の一つである指紋を用いて個人を認証する為の生体認証装置は、三角プリズム（例えば、特許文献１）による全反射臨界角を利用した方式が広く利用されている。この方式は、皮膚表面の凹凸（隆線部及び谷線部）を読み取るものであり、高いコントラストの指紋画像が簡便に得られる。よって、インクを指先に塗布して紙に押し付けることによって採取する「押捺指紋」と非常に互換性があり、司法や警察用途などに利用されてきた。
【先行技術文献】
【特許文献】
【０００３】
【特許文献１】米国特許第６３８１３４７号公報
【発明の概要】
【発明が解決しようとする課題】
【０００４】
ところで、関連するプリズム方式による生体認証装置では、指紋の撮影のための光源を、図１５に示すようにプリズムの下に配置している。
【０００５】
光源をプリズムの下側に設ける場合には、光量は確保できるが、指が置かれるプリズムの生体認証面が鏡面となり、その鏡面上に光源が映り、指紋撮影時にその光源が画像に写り込んでしまい、認証に適した指紋等の認証画像を撮影できないという課題があった。
【０００６】
このような課題を解決する方法のひとつとして、光源をプリズムの側面側に設ける方法がある。この設置方法ならば、指が置かれるプリズム面に光源が映らず、指紋撮影時の光源の写り込みは発生しない。しかし、認証に適した認証画像を撮影するための光量が確保できないという課題があった。更に、光源をプリズムの側面側に設けるため、認証装置の横方向の長さが大きくなり、結果として認証装置の大型化は避けられないという課題があった。
【０００７】
そこで、本発明は上記課題を解決する撮像装置を提供することにある。
【課題を解決するための手段】
【０００８】
本発明の一態様は、プリズム体と、撮像部と、生体に可視光を照射する可視光源とを有し、前記プリズム体は、概台形状であり、生体の認証部分が設置される生体認証面から、前記生体認証面と平行な撮像面の方向に向かって、少なくとも一側面において末広がりの形状に形成されており、末広がり側の側面と対向しない側面であり、前記生体認証面で反射した光を前記撮像面に向けて全反射する反射面を有し、前記可視光源は、前記撮像面の下部、かつ、前記撮像面の末広がり側の辺の近傍に配置され、前記撮像部は、前記撮像面の下部に配置され、前記可視光源から照射された光が前記生体認証面に接触している生体の認証部分に反射された生体反射光と、前記生体反射光が前記反射面に反射された反射面反射光とを撮像する撮像装置である。
【発明の効果】
【０００９】
本発明によれば、光源の影響が少ない画像を撮像することができる。
【図面の簡単な説明】
【００１０】
【図１】図１は本発明に係るプリズム１の構成を示す図である。
【図２】図２はプリズム１のＡ−Ａ‘の断面図である。
【図３】図３は本発明に係るプリズム１を説明するための図である。
【図４】図４はプリズム１のＢ−Ｂ‘の断面図である。
【図５】図５は本発明に係るプリズム１を説明するための図である。
【図６】図６は本発明に係るプリズム１を説明するための図である。
【図７】図７は本発明に係るプリズム１を説明するための図である。
【図８】図８は本発明に係るプリズム１を説明するための図である。
【図９】図９は第１の実施の形態における指紋認証装置の構成図である。
【図１０】図１０は第１の実施の形態における認証装置で撮影された画像の一例である。
【図１１】図１１は第２の実施の形態における認証装置の構成図である。
【図１２】図１２は第３の実施の形態における認証装置の構成図である。
【図１３】図１３は第４の実施の形態における認証装置の構成図である。
【図１４】図１４は第４の実施の形態の変形例の認証装置の構成図である。
【図１５】図１５は関連する認証装置を説明する為の図である。
【発明を実施するための形態】
【００１１】
本発明の実施の形態を詳細に説明する。
【００１２】
まず、本発明に係るプリズムの原理を説明する。尚、以下の説明では、生体を指の場合として説明するが、これに限られない。例えば、手のひらの掌紋認証にも用いることができる。
【００１３】
図１は本発明に係るプリズムの一例であるプリズム１の斜視図であり、図２はプリズム１のＡ−Ａ‘の断面図である。そして、図中、１０は生体（例えば、指）が置かれる生体設置面、１１は生体設置面１０に概平行に形成され、カメラ等の撮像装置が配置される側の面である撮像面であり、１２，１３は側面である。
【００１４】
次に、本発明の特徴を説明する。図３は本発明に係るプリズム１を説明するための図である。そして、図３中、２は指の指紋の認証画像を撮像する撮影装置であり、３は可視光源である。
【００１５】
プリズム１は、生体設置面１０から撮像面１１の方向に向かって末広がりの形状に形成されている。すなわち、生体設置面１０よりも撮像面１１の方が大きく、プリズム１の二側面１２，１３が傾斜をもって形成されている。
【００１６】
可視光源３を撮像面１１の下部側に設置する場合、可視光源３から照射される光の一部が生体認証面１０で鏡面反射（全反射）し、撮像面１１側から見ると、可視光源３が点光源として生体認証面１０に映る。従って、生体認証面１０に映った可視光源３の点光源を、指の認証部分（指の谷線部及び隆線部を含む指紋照合部）と共に撮像すると、その画像は可視光源３の点光源の影響で認証に不適切な画像となる可能性がある。
【００１７】
これを解決する方法として、生体認証面１０及び撮像面１１を、指の認証部分の大きさに比べて十分に大きくすることも考えられるが、このようにすると、プリズム１自体が大きくなり、結果として認証装置自体の大型化は避けられない。
【００１８】
そこで、撮像面１１を生体認証面１０よりも大きくしてプリズム１の形状を生体認証面１０から撮像面１１の方向に向かって末広がりの形状に形成し、可視光源３を撮像面１１の側面１２，１３に接する辺の近傍に設置する。
【００１９】
このような構成にすることにより、指の認証部分が生体設置面１０のほぼ中央に置かれた場合、その認証部分の位置の生体設置面１０に可視光源３の点光源が映り込むことがない。その結果、撮像装置２は可視光源３の点光源の影響がない認証部分の画像を撮像することができる。また、生体認証面１０の面積が少なくて済み、可視光源３を側面１２，１３側に配置しないので、認証装置を小型化できる。
【００２０】
更に、本発明に係るプリズム１では、側面１２、１３が傾斜しているため、可視光源３から照射された光が側面１２、１３により反射され、その反射光が生体設置面１０に置かれた指の認証部分を照らすので、上記効果に加えて、撮像に必要な光量が増加するという効果も得られる
【００２１】
尚、撮像装置２の画角は、その認証部分を撮影できる画角（認証部分を少なくとも撮影できる画角よりも多少広い画角）である。別の言い方をすると、生体認証面１０で鏡面反射（全反射）された可視光源３の光が、撮像装置２に入射されることがないようにする。
【００２２】
また、上述したプリズム１では、側面１２、１３の双方を傾斜させるようにしたが、側面１２、１３のうち一側面だけを傾斜させ、傾斜した側のみに可視光源３を設置するようにしても良い。この場合、全体としての光量は低下するが、上述した効果と同様な効果が得られる。
【００２３】
続いて、本発明に係るプリズム１の他の構成について説明する。
【００２４】
図４はプリズム１のＢ−Ｂ‘の断面図である。図４中、１４は反射面、１５は側面である。
【００２５】
反射面１４は、撮像面１１から反射面１４を経て生体設置面１０に到達する光路において、生体設置面１０にてプリズム１内からの光が全反射する角度に設けられている。別の言い方をすると、空気層の屈折率とプリズム１本体の屈折率との相違から空気層を介して生体設置面１０からプリズム１本体に入射した光が反射面に届かず、かつ、生体設置面１０で反射された光は撮像面１１に向けて全反射する角度に設けられている。
【００２６】
次に、各光路について、図５から図７を用いて説明する。また、本例では、上述したように、可視光源３を撮像面１１の側面１２，１３に接する辺の近傍に設置し、照射光が生体設置面１０に設置された指の谷線部及び隆線部により反射された光を撮像面１１の下部に設置された撮像装置２で撮影する場合を説明する。
【００２７】
可視光源３から照射された光は生体設置面１０に設置された指の谷線部及び隆線部により反射される。
【００２８】
ここで、図５に示す如く、指の隆線部は生体設置面１０と接触しているので、指の隆線部により反射された光の屈折率はプリズム１（ガラス）の屈折率とほぼ同じである。よって、指の隆線部により反射された光は、指の谷線部及び隆線部が設置されている生体設置面１０で反射された光と同様に考えることができ、プリズム１内のほぼ全方位に放射され、生体設置面１０より下側のすべての領域に達することができる。
【００２９】
一方、指の谷線部は生体設置面１０とは接触しておらず、指２の谷線部と生体設置面１０との間には空気層がある。従って、指の谷線部の反射光は、空気層を介して生体設置面１０を透過する。しかし、空気の屈折率は１．０、ガラスは１．３〜１．５、水分と皮膚は１．３〜１．４で屈折率に違いがあるため、指の谷線部の反射光は指の隆線部の反射光とは異なる屈折現象が生じるため、全方位に放射されず、プリズム１内の一定の範囲には谷線部の反射光は届かない。ここで、反射面１４は、撮像面１１から反射面１４を経て生体設置面１０に到達する光路において、生体設置面１０にてプリズム１内からの光が全反射する角度に設けられている。別の言い方をすると、反射面１４は、空気層から生体設置面１０を透過してプリズム１内に入射した光が届かない範囲にあり、かつ、生体設置面１０で反射された光は撮像面１１に向けて全反射する角度に設けられている。従って、図６に示す如く、指の谷線部で反射されて空気層を介して生体設置面１０を透過した光は、反射面１４には届かず、生体設置面１０から反射面１４を経て撮像面１１に到達する谷線部の反射光はなく、生体設置面１０から直接撮像面１１に到達する反射光のみとなる。
【００３０】
次に、指の隆線部の光路であるが、上述したように、指の隆線部により反射された光は、プリズム１内のほぼ全方位に放射され、生体設置面１０より下側のすべての領域に達することができるので、図７に示す如く、撮像面１１に直接到達する光の光路があると共に、反射面１４により反射されて撮像面１１に到達する光の光路もある。
【００３１】
撮像装置２は、図８に示す如く、撮像面１１を透過した光を撮影するので、撮像面１１に透過した２種類の画像を撮影することになる。ひとつは、指２の隆線部の反射光が生体設置面１０から反射面１４を経て撮像面１１に到達する光路の画像である。この画像は、指の隆線部の反射光のみによる画像となるので、指の谷線部が暗く、指の隆線部が明るいコントラストの高い指紋画像（以下、ハイコントラスト画像と記載する）となる。他のひとつは、生体設置面１０に設置された指の谷線部及び隆線部により反射された反射光のうち、直接撮像面１１に到達する光路の画像である。この画像は生体設置面１０に設置された指を撮像面１１から直視するものと同様な画像となるので、撮像装置２で撮影される画像は指の自然な画像（以下、自然画像と記載する）となる。
【００３２】
上記のようなプリズム１を認証装置に用いることにより、図８に示す如く、一度の撮影で、撮像装置２はハイコントラスト画像と自然画像とを撮影することができる。
【００３３】
尚、自然画像は、偽か本物が判断できれば良いので必ずしも広い画像が取得できなくても良い。むしろ大きな画像で詳細に分析できた方が望ましい。本実施の形態におけるプリズム１を用いた指の撮影では、自然画像を得る光路は、生体設置面１０から撮像面１１に直接至る光路であり、最短の光路であるので、偽造を見破るために十分な大きさの自然画像を得ることができる。
【００３４】
一方、ハイコントラスト画像は指紋照合に使用するので、特徴点が多く存在するように、より広いエリアの指紋画像を取得した方が望ましい。より広いエリアの指紋画像を取得するためには、生体設置面１０から撮像面１１に至る光路を長くする必要がある。本実施の形態におけるプリズム１を用いた指の撮影では、ハイコントラスト画像を得る光路は、生体設置面１０から反射面１４を介して撮像面１１に至る光路であるので、特徴点が多く存在するような広いエリアの指紋画像を撮影するに十分な光路の長さを取ることができる。
【００３５】
尚、側面１５に黒色塗料を塗布、又は、面１５に黒板を張り付けることにより、ハイコントラスト画像のコントラストをより高めることもできる。
【００３６】
更に、反射面１４にミラーコートを施し、より反射率を高めるようにしても良い。
【００３７】
以下、詳細な実施の形態を説明する。
【００３８】
＜第１の実施の形態＞
第１の実施の形態を説明する。
【００３９】
図９は第１の実施の形態における指紋認証装置の構成図である。
【００４０】
第１の実施の形態における指紋認証装置では、上述したプリズム１の生体設置面１０が指の指紋部が置かれる面となる位置に、プリズム１が設けられる。
【００４１】
プリズム１の撮像面１１の下部には、撮像装置２が配置される。撮像装置２の画角は、指の認証部分が生体設置面１０のほぼ中央に置かれた際、その認証部分を撮影できる画角（認証部分を少なくとも撮影できる画角よりも多少広い画角）とする。尚、撮像装置２は、入力された画像をデジタル信号に変換して出力するものであり、ＣＣＤ(Charge Coupled Device)、あるいはＣＭＯＳ(Complementary MOS)等からなるイメージセンサを使用することができる。
【００４２】
撮像面１１の下部、かつ、側面１２，１３に接する辺の近傍に、可視光源３が配置される。尚、可視光源３は、白色電球、ＬＥＤ(Light Emitting Diode)等が考えられる。
【００４３】
画像処理部４は、撮像装置２で撮像された画像を所定の画像形式に変換し、ハイコントラスト画像と自然画像とに分離し、ハイコントラスト画像は照合部５に出力され、自然画像は表示部６に出力される。尚、ハイコントラスト画像については、従来の三角プリズムと同様な台形歪が発生するので、その台形歪の補正も行う。
【００４４】
照合部５は、画像処理部４からハイコントラスト画像を入力し、指紋の照合を行う。指紋の照合方法は、従来からある照合方法を用いることができる。
【００４５】
表示部６は、画像処理部４から自然画像を受信し、自然画像を表示する。これにより、シリコン等の樹脂で偽造された指を用いたり、凹凸を有する半透明な指紋の偽造フィルムを指の先端に貼り付けることによって他人に「なりすます」等の犯罪的行為を確認できる。
【００４６】
次に、上述した生体認証装置の動作を説明する。
【００４７】
まず、認証に際して、指を設置面であるプリズム１の生体設置面１０に設置する。
【００４８】
指の指紋部位がプリズム１の生体設置面１０に設置された状態で、可視光源３が発光し、指に対して撮影用の光が照射される。
【００４９】
可視光源３から照射された光は生体設置面１０に接触された指の谷線部及び隆線部により反射される。
【００５０】
ここで、空気の屈折率は１．０に対して、ガラスは１．３〜１．５、水分と皮膚は１．３〜１．４で屈折率に違いがあるため、空気層を介してプリズム１内に進入する指の谷線部の反射光は、反射面１４に到達することはできず、撮像面１１に到達するのは生体設置面１０から直接到来する反射光のみである。
【００５１】
一方、指の隆線部の反射光はプリズム１内の全方位に広がり、反射面１４と撮像面１１とに向かう。これらのうち、反射面１４に向かった隆線部の反射光は反射面１４により全反射されて撮像面１１に向かう。すなわち、生体設置面１０から反射面１４を経て撮像面１１に到達する光路である。
【００５２】
撮像装置２では、撮像する画像のひとつとして、生体設置面１０から反射面１４を経て撮像面１１に到達する光路の画像を撮像する。その撮影される画像は、指の隆線部がハイライトとなるハイコントラスト画像である。
【００５３】
また、生体設置面１０に設置された指の谷線部及び隆線部により反射された反射光のうち、直接撮像面１１に到達する光もある。この反射光は撮像面１１を透過して撮像装置２で撮影される。この反射光による画像は生体設置面１０に設置された指を、撮像面１１を介して直視するものと同様な画像となるので、撮像装置４で撮影される画像は、指の谷線部及び隆線部が共に撮像された自然画像となる。
【００５４】
撮像装置２は、プリズム１の撮像面１１を透過した光により、一度の撮影で、指の指紋部のハイコントラスト画像及び自然画像を撮像する。このとき、生体設置面１０で全反射する可視光源３の光（点光源）も撮像面１１を透過するが、可視光源３の設置位置及び撮像装置２の画角により、撮像装置２には、生体設置面１０で鏡面反射する可視光源３の光は入射されないので、撮像装置２は、白とびのない認証、照合に適した画像を撮像することができる。
【００５５】
撮像装置２により、撮影された画像の一例を図１０に示す。図１０からもわかるように、撮影された撮影画像には、生体設置面１０に映る可視光源３の点光源は撮影されていない。そして、撮影画像の左側に指紋部位のハイコントラスト画像が撮影され、右側には指紋部位を含む指の自然画像が撮影されている。自然画像とハイコントラスト画像とは、上述した光路の長さの相違により、自然画像の方がハイコントラスト画像に比べて大きく、偽造を見破るために十分な大きさの自然画像を得られていることが分かる。一方、ハイコントラスト画像は、特徴点が多く存在する広いエリアの指紋画像を得られていることが分かる。
【００５６】
尚、可視光源３の発光（照射）から撮像装置２の撮像までの処理は、図示しない制御装置やプログラムによって動作する情報処理装置によって制御される。
【００５７】
画像処理部４は、撮像装置２で得られたハイコントラスト画像と自然画像とを分離し、ハイコントラスト画像について台形歪を補正後に照合部５に出力し、自然画像については表示部６に出力する。
【００５８】
照合部５は、ハイコントラスト画像から特徴量を抽出・照合を行うことにより、指紋の照合、認証を行う。
【００５９】
自然画像については表示部６に表示され、目視により、照合に際して偽造した指紋フィルムやテープなどを使用しているかを判別することができる。
【００６０】
このように、第１の実施の形態の認証装置は、白とびのない認証、照合に適した、偽造した指紋フィルムやテープなどを使用しているかを判別するための目視に近い自然画像と、指紋を照合するために用いられるコントラストの高い画像とを、１個の撮像装置で、一回の指の撮影により得ることができる。また、偽造を見破るために十分な大きさの自然画像を得られる。
【００６１】
＜第２の実施の形態＞
第２の実施の形態を説明する。
【００６２】
図１１は第２の実施の形態における認証装置の構成図である。
【００６３】
第２の実施の形態は、第１の実施の形態の構成に加えて、赤外光光源を設けて、指の血管パターンを撮像する例を説明する。
【００６４】
第２の実施の形態では、第１の実施の形態で用いたプリズム１の生体認証面１０を撮像面２２とし、プリズム１の撮像面１１を生体認証面２１とする第２のプリズム２０を更に用いる。そして、プリズム１の反射面１４とプリズム２０の反射面２４とが互いに対向するように、プリズム１とプリズム２とを配置する。尚、プリズム２０の生体認証面２１は、プリズム１の生体認証面１０よりも、垂直方向に対して低くなるようにプリズム１とプリズム２とを配置する。別の言い方をすると、指の指紋部分はプリズム１の生体認証面１０に接触するが、指の血管パターンが撮影される指の部分はプリズム２０の生体認証面２１と接触しないような高さ・位置に、プリズム１とプリズム２とを配置する。これは、指の血管パターンが撮影される部分がプリズム２０の生体認証面２１と接触することにより、指部分が圧迫され、良好な血管パターンを撮影することができないことを避けるためである。
【００６５】
また、図１１に示すように、プリズム２の撮像面２２の側面に接する辺の近傍に、近赤外線光源３０を設置する。尚、赤外線光源３０は、血液の酸化ヘモグロビンの吸収が良好に行われ、かつ生体色素に感度が小さい波長７００−１０００ｎｍの近赤外線が好ましい。
【００６６】
更に、プリズム２の撮像面２２の下部には、近赤外線光に感度を有する撮像装置２１が配置される。そして、撮像装置２１と撮像面２２との間には、近赤外線を透過して可視光線をカットする近赤外線透過可視光カットフィルター４１が設けられる。これにより、撮像装置２１には可視光がカットされ、赤外光のみが入射される。
【００６７】
また、撮像装置２と撮像面１１との間には、可視光線を透過して近赤外線をカットする近赤外線カットフィルター４０が設けられる。これにより、撮像装置２には可視光のみが入射される。
【００６８】
このような構成により、可視光源である可視光源３と近赤外線光源である近赤外線光源３０とを同時に発光し、撮像装置２により、自然画像とハイコントラスト画像とを撮影し、撮像装置２１により、指の血管パターンを撮像する。
【００６９】
第２の実施の形態によれば、第１の実施の形態の効果に加え、血流による拍動や皮下組織による画像の変化も観察でき、生体判別に使用してより高精度の生体判別を行うができる。特に、指の血管パターンが撮影される指部分がプリズム２０の生体認証面２１に圧迫されることがないので、良好な血管パターンを撮影できる。
【００７０】
＜第３の実施の形態＞
第３の実施の形態を説明する。
【００７１】
図１２は第３の実施の形態における認証装置の構成図である。
【００７２】
第３の実施の形態は、第２の実施の形態のプリズム構成において、近赤外線光源３０をプリズム１の撮像面１１側の下部に設ける。そして、近赤外線光源３０から照射される近赤外線が、指内部で散乱して透過する光を撮影し、指の血管パターンを撮像する例を説明する。
【００７３】
第３の実施の形態の構成が第２の実施の形態と異なる所は、プリズム２０の撮像面２２の下部に設置されていた近赤外線光源３０を、プリズム１の撮像面１１側の下部に設けていることである。更に、近赤外線光源３０から照射された近赤外線がプリズム１を透過してプリズム２０内に進入することを避けるため、プリズム１の反射面１４とプリズム２０の反射面２４との間に近赤外線を遮光する遮光板５０を設ける。尚、プリズム１の反射面１４とプリズム２０の反射面２４の外側に、近赤外線を遮光する遮光塗料を塗布しても良い。
【００７４】
以上の構成において、可視光源３と赤外光源３０とを同時に発光させて、撮像装置２による自然画像とハイコントラスト画像との撮像と、撮像装置２１による透過光の指の血管パターンの撮像とを同時に行うことができ、１度の撮影で、自然画像及びハイコントラスト画像と指の血管パターンの画像とを同時に得ることができる。
【００７５】
第３の実施の形態は、血管パターンの撮影を透過光により行うので、反射光に比較して、より鮮明な血管パターンの画像を得ることができる。
【００７６】
＜第４の実施の形態＞
第４の実施の形態を説明する。
【００７７】
図１３は第４の実施の形態における認証装置の構成図である。
【００７８】
第４の実施の形態は、第３の実施の形態からプリズム２０を外した態様であり、他の構成は第３の実施の形態と同様である。
【００７９】
第４の実施の形態では、プリズム２０を用いない代わりに、装置内へのゴミの進入を避けるため、プリズム２０の生体設置面２１と同じ高さに透明な透明板６０を配置する。
【００８０】
これにより、第３の実施の形態と同様な効果を得ることができる。
【００８１】
また、第３又は第４の実施の形態においては、図１４に示すように指の上部に、更に、赤外光源３０を設けることにより、より、鮮明な血管パターンの画像を撮影することができる。
【００８２】
尚、上述した説明からも明らかなように、各部をハードウェアで構成することも可能であるが、コンピュータプログラムにより実現することも可能である。この場合、プログラムメモリに格納されているプログラムで動作するプロセッサによって、上述した各実施の形態と同様の機能、動作を実現させる。また、上述した実施の形態の一部の機能のみをコンピュータプログラムにより実現することも可能である。
【００８３】
また、上記の実施形態の一部又は全部は、以下の付記のようにも記載されうるが、以下には限られない。
【００８４】
（付記１）  プリズム体と、撮像部と、生体に可視光を照射する可視光源とを有し、
前記プリズム体は概台形状であり、生体の認証部分が設置される生体認証面から、前記生体認証面と平行な撮像面の方向に向かって、少なくとも一側面において末広がりの形状に形成されており、
前記可視光源は、前記撮像面の下部、かつ、前記撮像面の末広がり側の辺の近傍に配置され、
前記撮像部は、前記撮像面の下部に配置される
認証装置。
【００８５】
（付記２）  前記プリズムは、生体の認証部分が設置される生体認証面から、前記生体認証面と平行な撮像面の方向に向かって、二側面において末広がりの形状に形成されている
付記１に記載の認証装置。
【００８６】
（付記３）  前記プリズム体は、末広がり側の側面と対向しない側面であり、前記生体認証面で反射した光を前記撮像面に向けて全反射する反射面を有し、
前記可視光源から照射された光が前記生体認証面に接触している生体の認証部分に反射された生体反射光と、前記生体反射光が前記反射面に反射された反射面反射光とを撮像する
付記１又は付記２に記載の認証装置。
【００８７】
（付記４）  前記生体反射光を撮像した画像が偽造確認用の自然画像であり、
前記反射面反射光を撮像した画像が生体認証用のコントラスト画像である
付記３に記載の認証装置。
【００８８】
（付記５）  前記プリズム体は、
前記生体認証面と前記撮像面とに概垂直に接し、前記反射面に対向する位置に形成された対向面を備え、
前記対向面の少なくとも一部には黒色が塗布又は黒板が備え付けられている
付記３又は付記４に記載の認証装置。
【００８９】
（付記６）  前記反射面には、ミラーコートが施されている
付記３から付記５のいずれかに記載の認証装置。
【００９０】
（付記７）  前記プリズム体の生体認証面を撮像面とし、前記プリズム体の撮像面を生体認証面とする第２のプリズム体と、
赤外光源と、
第２の撮像部と
を有し、
前記プリズム体の反射面と、前記第２のプリズム体の反射面とが互いに対向するように、前記プリズム体と前記第２のプリズム体とを配置し、
前記赤外光源と前記第２の撮像部とを、前記第２のプリズム体の撮像面の下部に配置し、
前記赤外光源は、前記生体の第２の認証部分に赤外光を照射し、
前記第２の撮像部は、照射された赤外光が前記生体の第２の認証部分により反射された反射光を撮像する
付記１から付記６のいずれかに記載の認証装置。
【００９１】
（付記８）  前記プリズム体の生体認証面を撮像面とし、前記プリズム体の撮像面を生体認証面とする第２のプリズム体と、
赤外光源と、
第２の撮像部と
を有し、
前記プリズム体の反射面と、前記第２のプリズム体の反射面とが互いに対向するように、前記プリズム体と前記第２のプリズム体とを配置し、
前記赤外光源を、前記プリズム体の撮像面の下部に配置し、
前記第２の撮像部を、前記第２のプリズム体の撮像面の下部に配置し、
前記赤外光源は、前記生体の第１の認証部分に赤外光を照射し、
前記第２の撮像部は、前記生体の第１の認証部分から進入し、前記生体の第２の認証部分から透過する赤外光を撮像する
付記１から付記６のいずれかに記載の認証装置。
【００９２】
（付記９）  前記プリズム体の反射面と、前記第２のプリズム体の反射面との間に遮光部材を設ける
付記７又は付記８に記載の認証装置。
【００９３】
（付記１０）  前記第２のプリズム体の生体認証面を、前記プリズム体の生体認証面よりも低くなるように、前記プリズム体と前記第２のプリズム体とを配置する
付記７から付記９のいずれかに記載の認証装置。
【００９４】
（付記１１）  前記プリズム体の下部に配置される赤外光源と、
前記生体の第２の認証部分の下部に配置される第２の撮像部と
を有し、
前記赤外光源は、前記生体の第１の認証部分に赤外光を照射し、
前記第２の撮像部は、前記生体の第１の認証部分から進入し、前記生体の第２の認証部分から透過する赤外光を撮像する
を有する付記１から付記６のいずれかに記載の認証装置。
【００９５】
（付記１２）  認証装置内部への粉塵防止の透過部材を、前記プリズム体の生体認証面に対して低くなるような段差をつけて設ける
付記１１に記載の認証装置。
【００９６】
（付記１３）  前記プリズム体の反射面側に遮光部材を設ける
付記１１又は付記１２に記載の認証装置。
【００９７】
（付記１４）  前記生体が人間の指である
付記１から付記１３のいずれかに記載の認証装置。
【００９８】
（付記１５）  生体認証用のプリズム体であって、
前記プリズム体は、
概台形状であり、
生体の認証部分が設置される生体認証面と、前記生体認証面と平行な撮像面とを備え、
前記生体認証面から、前記撮像面の方向に向かって、少なくとも一側面において末広がりの形状に形成されている
プリズム体。
【００９９】
（付記１６）  前記プリズムは、生体の認証部分が設置される生体認証面から、前記生体認証面と平行な撮像面の方向に向かって、二側面において末広がりの形状に形成されている
付記１５に記載のプリズム体。
【０１００】
（付記１７）  前記プリズム体は、末広がり側の側面と対向しない側面であり、前記生体認証面で反射した光を前記撮像面に向けて全反射する反射面を有し、
前記可視光源から照射された光が前記生体認証面に接触している生体の認証部分に反射された生体反射光と、前記生体反射光が前記反射面に反射された反射面反射光とを撮像する
付記１５又は付記１６に記載のプリズム体。
【０１０１】
（付記１８）  前記プリズム体は、
前記生体認証面と前記撮像面とに概垂直に接し、前記反射面に対向する位置に形成された対向面を備え、
前記対向面の少なくとも一部には黒色が塗布又は黒板が備え付けられている
付記１７に記載のプリズム体。
【０１０２】
（付記１９）  前記反射面には、ミラーコートが施されている
付記１５から付記１８のいずれかに記載のプリズム体。
【０１０３】
（付記２０）  概台形状であり、生体の認証部分が設置される生体認証面から、前記生体認証面と平行な撮像面の方向に向かって、少なくとも一側面において末広がりの形状に形成されているプリズム体を有する認証装置における撮像方法であって、
前記撮像面の下部、かつ、前記撮像面の末広がり側の辺の近傍から可視光を、前記プリズム体を介して生体に照射し、
前記撮像面側から撮像装置によって前記生体を撮像する
撮像方法。
【０１０４】
（付記２１）  概台形状であり、生体の認証部分が設置される生体認証面から、前記生体認証面と平行な撮像面の方向に向かって、少なくとも一側面において末広がりの形状に形成されているプリズム体を有する認証装置における撮像処理のプログラムであって、
前記プログラムは、情報処理装置に、
前記撮像面の下部、かつ、前記撮像面の末広がり側の辺の近傍に配置された可視光源を発光する処理と、
前記撮像面の下部に配置された撮像部により、前記撮像面を介した生体を撮像する処理と
を実行させるプログラム。
【０１０５】
以上好ましい実施の形態をあげて本発明を説明したが、本発明は必ずしも上記実施の形態に限定されるものではなく、その技術的思想の範囲内において様々に変形し実施することが出来る。
【符号の説明】
【０１０６】
１      プリズム
２      撮像装置
３      可視光源
４      画像処理部
５      照合部
６      表示部
１０    生体設置面
１１    撮像面
１２    反射面
１３    面
２０    プリズム
２１    撮像装置
３０    近赤外線光源
４０    近赤外線カットフィルター
４１    近赤外線透過可視光カットフィルター
５０    遮光板
６０    透明板
【図１】
0006032454.tif 000002
【図２】
0006032454.tif 000003
【図３】
0006032454.tif 000004
【図４】
0006032454.tif 000005
【図５】
0006032454.tif 000006
【図６】
0006032454.tif 000007
【図７】
0006032454.tif 000008
【図８】
0006032454.tif 000009
【図９】
0006032454.tif 000010
【図１５】
0006032454.tif 000011
【図１０】
0006032454.tif 000012
【図１１】
0006032454.tif 000013
【図１２】
0006032454.tif 000014
【図１３】
0006032454.tif 000015
【図１４】
0006032454.tif 000016